(57)【要約】【課題】茶碗類の積重ね支持具を用いることにより、茶碗類の大きさに関係なく、上面開口部と底部とが略同径の食器、或いは、取っ手が設けられているコーヒーカップなどの茶碗類を外径に関係なく安定して積み重ねができる。【解決手段】容器体２の上面開口縁３を挟着する係合溝４を下部及び両側面に開放して形成した挟着部５の上部に積重ねる容器体２の下部を支持する支持部６を形成する。支持部６の外側部に上方に向って積重ねる容器体２の外面を保持する保持部７を一体に形成する。支持部６は略水平段部８とこの略水平段部８に連続した内側下方に向った傾斜面部９とを有する。少なくとも挟着部５と支持部６とは弾性を有する材料で成型する。【選択図】図１
2010057782.tif 000002
【特許請求の範囲】
【請求項１】
容器体の上面開口縁を挟着する係合溝を下部及び両側面に開放して形成した挟着部と、この挟着部の上部に形成し積重ねる容器体の下部を支持する支持部と、この支持部の上面外側部に上方に向って一体に形成し積重ねる容器体の外周面を保持する保持部とを具備したことを特徴とする茶碗類の積重ね支持具。
【請求項２】
支持部は略水平段部とこの略水平段部に連続した内側下方に向った傾斜面部とを有することを特徴とした請求項１記載の茶碗類の積重ね支持具。
【請求項３】
少なくとも挟着部と支持部とは弾性を有する材料で成型したことを特徴とする請求項１または２記載の茶碗類の積重ね支持具。
【発明の詳細な説明】
【技術分野】
【０００１】
本発明は、食器棚などに収納する食器、例えば、コーヒーカップなどの茶碗類を積重ね保持できるようにする茶碗類の積重ね支持具に関する。
【背景技術】
【０００２】
上面開口部の外径と底部との外径が略等しく高台が低いか高台が殆どない茶碗類は積重ねた状態では安定性が悪く、また、コーヒーカップなど取っ手が設けられている茶碗類は積重ねた状態で、下側の茶碗類の上面開口縁に積重ねた上側の茶碗類の取っ手が接触して積重ねた上側の茶碗類は傾斜状となり、この傾斜されている茶碗類の上に積重ねると、安定性が悪いなどの問題があった。
【０００３】
そこで、上部から下方に向って外周面を傾斜状に拡開した環状体を用いて料理などを盛り付けた食器を積重ねる重ね枠が提案されている(特許文献１)。
【０００４】
この特許文献１に記載されている重ね枠では料理を盛り付けた食器間に間隔を保持して安定良く保持できるが、食器の収納に際して使用すると、食器間の間隔が広がり、積み重ね高さが高くなり、また、積重ねる食器の大きさが重ね枠の大きさに限られる問題がある。
【特許文献１】特開平０８−３２２６９７号公報
【発明の開示】
【発明が解決しようとする課題】
【０００５】
本発明の解決しようとする問題点は、茶碗類の大きさに関係なく、上面開口部と底部とが略同径の食器、或いは、取っ手が設けられているコーヒーカップなどの茶碗類を大きさに関係なく安定して積み重ねができる茶碗類の積重ね支持具を提供するものである。
【課題を解決するための手段】
【０００６】
本発明の茶碗類の積重ね支持具は、容器体の上面開口縁を挟着する係合溝を下部及び両側面に開放して形成した挟着部と、この挟着部の上部に形成し積重ねる容器体の下部を支持する支持部と、この支持部の上面外側部に上方に向って一体に形成し積重ねる容器体の外周面を保持する保持部とを具備したものである。
【０００７】
そして、容器体の上面開口縁に間隔を置いて、積重ね支持具の挟着部の係合溝をそれぞれ係合して容器体の開口縁に複数の積重ね支持具を保持する。この状態で、容器体の上面開口縁に保持されている複数の積重ね支持具の内側に積重ねる容器体を挿入して積重ねた容器体の外周面を積重ね支持具の保持部にて保持する。
【０００８】
この積重ねた容器体は、積重ねた上側の容器体の底部が積重ね支持具の支持部に支持され、順次複数の容器体を積重ねることができる。
【０００９】
請求項２に記載の茶碗類の積重ね支持具は、上記茶碗類の積重ね支持具において、支持部は略水平段部とこの略水平段部に連続した内側下方に向った傾斜面部とを有するものである。
【００１０】
そして、この積重ねた容器体が上面開口部の外径と底部との外径が略等しく高台が低いか高台が殆どない茶碗類の場合は、積重ねた上側の容器体の底部が積重ね支持具の支持部に形成されている略水平段部に支持され、順次複数の容器体を積重ねることができる。
【００１１】
また、積重ねる容器体が、取っ手が設けられ下方に向って湾曲状に縮径されているコーヒーカップなどの茶碗類の場合は、積重ねた上側の容器体の下部は下側の容器体の上面開口部から内側に挿入されて、外周面下部が積重ね支持具の支持部に形成した傾斜面部に支持され、取っ手が下側の容器体の開口縁部に接触することなく、順次複数の容器体を積重ねることができる。
【００１２】
請求項３に記載の茶碗類の積重ね支持具は、請求項１または２に記載の茶碗類の積重ね支持具において、少なくとも挟着部と支持部とは弾性を有する材料で成型したものである。
【００１３】
そして、積重ね支持具は、積重ね支持具の挟着部の係合溝が容器体の開口縁を弾力的に挟んで確実に保持されるとともに支持部の弾性で積重ねる容器体は緩衝される。
【発明の効果】
【００１４】
本発明の茶碗類の積重ね支持具は、簡単な構造で茶碗類の外径、大きさに関係なく複数個の茶碗類を安定して積み重ねができる。
【００１５】
請求項２に係る茶碗類の積重ね支持具の発明は、積重ねる容器体が上面開口部の外径と底部との外径が略等しく高台が低いか殆どない茶碗類でも、または、コーヒーカップなど取っ手を有し下方に向って縮径されている茶碗類でも、確実に安定して複数の容器体を積重ねることができる。
【００１６】
請求項３に係る茶碗類の積重ね支持具の発明は、支持部が容器体の上面開口縁に弾力的に挟着されて確実に容器体の上面開口縁に保持され、さらに、積重ね支持具の支持部にて積み重ねる容器体を緩衝保持し、安全に複数の容器体を積重ねることができる。
【発明を実施するための最良の形態】
【００１７】
次に、本発明の茶碗類の積重ね支持具の最善の実施の形態を図１乃至図４に基づいて説明する。
【００１８】
積重ね支持具本体１は、合成ゴムなどの弾性を有する材料で一体に成型され、この支持具本体１は、容器体２の上面開口縁３を挟着する係合溝４を下部及び両側面に開放して形成した挟着部５と、この挟着部５の上部に形成し積重ねる容器体２の下部を支持する支持部６と、この支持部６の外側部に上方に向って一体に形成し積重ねる容器体２の外面を保持する保持部７とを具備している。
【００１９】
前記支持部６は、上面が略水平状の略水平段部８とこの略水平段部８に連続した内側下方に向った傾斜面部９とを有している。
【００２０】
次に、この実施の形態の作用を説明する。
【００２１】
上面開口部の外径と底部の外径が略等しく底部に高台が低いか高台が殆どなく嵌合した状態で積重ねることができない茶碗類を積重ねる場合には、容器体２の上面開口縁３に間隔を置いて、積重ね支持具本体１の挟着部５の係合溝４をそれぞれ係合して容器体２の開口縁３に複数の積重ね支持具本体１を保持する。このとき、積重ね支持具本体１の挟着部５は容器体２の上面開口縁３を弾力的に挟んで確実に保持される。この状態で、容器体２の上面開口縁３に保持されている複数の積重ね支持具本体１の保持部７の内側に積重ねる容器体２を挿入して積重ねた容器体２の外周面を積重ね支持具本体１の保持部７にて保持する。
【００２２】
この積重ねた容器体２は、積重ねた上側の容器体２の底部が積重ね支持具本体１の支持部６に形成されている略水平段部８に支持されて積重ねた容器体２は水平状に積重ねられ、順次に複数の容器体２を積重ねることができ、積重ね支持具本体１の支持部６の弾性で積重ねた容器体２は緩衝保持される。
【００２３】
なお、この容器体２の外周面には取っ手10が設けられている。
【００２４】
また、図５及び図６に示すように、積重ねる容器体２が上面開口部の外径より底部の外径が小径となるように下向きに湾曲状に縮径されて外周面に取っ手10が設けられているコーヒーカップなどの茶碗類の場合には、容器体２の場合と同様に、容器体２の上面開口縁３に間隔を置いて、積重ね支持具本体１の挟着部５の係合溝４をそれぞれ係合して容器体２の上面開口縁３に複数の積重ね支持具本体１を保持する。
【００２５】
この状態で積重ねた上側の容器体２の下部は、下側の容器体２の上面開口部から挿入されて、外周面下部が積重ね支持具本体１の支持部６に形成した傾斜面部９に当接支持され、取っ手10が下側の容器体２の上面開口縁３に接触することなく、順次複数の容器体２を水平状に保持して積重ねることができ、積重ね支持具本体１の支持部６の弾性で積重ねた容器体２は傾斜面部９に当接支持されて緩衝保持される。このように、順次に複数の容器体２を積重ねることができる。
【００２６】
なお、前記実施の形態では、積重ね支持具本体１は少なくとも挟着部５と支持部６とを弾性を有する材料で成型したが、全体を弾性材料で成型することもでき、また、積重ね支持具本体１の保持部７は弾性変形しにくい構成が好ましい。
【図面の簡単な説明】
【００２７】
【図１】本発明の一実施の形態の茶碗類の積重ね支持具を用いて容器体を積重ねた状態の斜視図である。
【図２】図１に示す容器体に茶碗類の積重ね支持具を取り付けた状態を示す斜視図である。
【図３】図１に示す本発明の一実施の形態の茶碗類の積重ね支持具の側面図である。
【図４】図３に示す茶碗類の積重ね支持具の斜視図である。
【図５】図１に示す茶碗類の積重ね支持具を用いて、図１に示す容器体と異なる容器体を積重ねた状態の斜視図である。
【図６】図５に示す容器体に茶碗類の積重ね支持具を取り付けた状態を示す斜視図である。
【符号の説明】
【００２８】
１    支持具本体
２    容器体
３    容器体の上面開口縁
４    係合溝
５    挟着部
６    支持部
７    保持部
８    略水平段部
９    傾斜面部
【図１】
2010057782.tif 000003
【図２】
2010057782.tif 000004
【図３】
2010057782.tif 000005
【図４】
2010057782.tif 000006
【図５】
2010057782.tif 000007
【図６】
2010057782.tif 000008